(57)【特許請求の範囲】
【請求項１】
被測定者の腕を差し通すことができ、駆動のとき自動的に腕に巻き付けられる膨張袋を含む左側カフユニットおよび右側カフユニットと、前記左側カフユニットと右側カフユニットを制御する制御装置と、前記制御装置を駆動するためのスイッチ手段を備えている両腕血圧の同時自動測定による両腕血圧測定装置に於いて、
前記スイッチ手段は、被測定者の両方の腕が前記左側カフユニットと右側カフユニットに拘束されている状態で、被測定者が前記制御装置を駆動することができるように本体から離間して構成され、
前記左側および右側カフユニットは各々カフユニットの内側空間部に位置する被測定者の左側腕および右側腕の血圧測定部位が同じであるように対称をなす構造からなり、前記左側および右側カフユニットの内側空間部に位置する被測定者の左側腕および右側腕の血圧測定部位の血圧測定が同じ条件の下で行なわれるように前方開口部および後方開口部の形態および内側空間部の大きさが同じであり、前記各々のカフユニットの膨張袋の容積が同じであり、
前記制御装置は前記左側および右側カフユニットの内側空間部に被測定者の左側腕および右側腕が位置すれば、同時に前記左側および右側のカフユニットを駆動して同時に血圧が測定されることを特徴とする両腕血圧の同時自動測定による両腕血圧測定装置。
【請求項２】
前記左側カフユニットの膨張袋と前記右側カフユニットの膨張袋は被測定者の左側腕および右側腕の同じ血圧測定部位を巻き付けることを特徴とする請求項１に記載の両腕血圧の同時自動測定による両腕血圧測定装置。
【請求項３】
前記左側カフユニットの膨張袋と前記右側カフユニットの膨張袋は面対称をなして両腕の動脈血管を巻き付けることを特徴とする請求項２に記載の両腕血圧の同時自動測定による両腕血圧測定装置。
【請求項４】
前記両腕血圧は、画面上に左側および右側腕の最高血圧および最低血圧とともに両腕の最高血圧の差および最低血圧の差が表示されることを特徴とする請求項３に記載の両腕血圧の同時自動測定による両腕血圧測定装置。
【発明の詳細な説明】
【技術分野】
【０００１】
本発明は両腕血圧の同時自動測定による両腕血圧測定装置に関する。
特に、本発明は人体の両腕から血圧差を測定して血流や血圧の状態を把握できるようにする両腕血圧の同時自動測定による両腕血圧測定装置を提供する。
【背景技術】
【０００２】
現代の社会で問題になっている高血圧の適切な治療のための重要な条件の一つは信頼性を保つ血圧測定装置による血圧の測定である。
正確な血圧測定のためには安定的な姿勢とストレスのない状態で測定するのが一番好ましいものと知られていて、血圧は心拍ごとに変わるので信頼できる結果を得るためには複数回の測定が必要である。
特に、高血圧の患者のほとんどは一次医療機関から治療を受ける。
一次医療機関で血圧を正確に測定することは心血管系の疾患による死亡率を減らす主な要因になる。
【０００３】
今までは、高血圧を診断するとき両腕の血圧を測定して、意味がある差があれば再び測定して高い方の血圧を基準にし、以後に血圧を測るときは血圧が高い方の腕から血圧を測定するようにガイドラインを提示している。両腕の血圧は健康な人に於いても若干の差はあるがその差が大きいほど末梢血管の疾患を示唆し、心血管系の疾患に進行する罹患率とこれによる死亡率が高くなる。
【０００４】
世界保健機構であるＷＨＯでは両腕血圧の差が最高血圧２０ｍｍＨｇまたは最低血圧が１０ｍｍＨｇ以上であれば循環器系統の疾患の危険要因になるものと定義している。
【０００５】
日本特開平１１-３４２１１７号の公報には左側腕の血圧を測定する左側血圧測定装置と右側腕の血圧を測定する右側血圧測定装置を具備した装置が開示されている。しかし、この装置は左側腕の血圧を測定するときは左側腕の受け台に設置されるマイクロスイッチが押されて左側腕の血圧の測定が行なわれ、右側腕の血圧を測定するときは右側腕の受け台に設置されるマイクロスイッチが押されて右側腕の血圧の測定が行なわれる装置であり、被測定者が同時に左側腕および右側腕の血圧を測定してその差を正確に知ることは不可能である。
【０００６】
日本特開２０１０-１１９６３９号の公報には左側腕がカフユニットに差し通されると左側腕の血圧を測定するものと自動認識し、右側腕がカフユニットに差し通されると右側腕の血圧を測定するものと自動認識する装置を開示している。しかし、被測定者が一つのスタートスイッチで同じ条件の下で同時に左側腕および右側腕の血圧を測定するのは不可能である。
【０００７】
日本特表２００９-５２３５１２号の公報には二つのカフを被測定者の左側および右側腕に巻き付けて両側腕の血圧を測定できる装置を開示している。
しかし、この血圧測定装置の場合、カフを巻き付ける位置にばらつきが生じ易く、左右のカフを巻き付ける力が異なるので同じ圧力で測定するのが難しい。
【０００８】
特に、日本特表２００９-５２３５１２号の公報に開示されている装置は二つのカフから生成される圧力信号に基づいてユーザーの血圧を測定するように設計されているので左側および右側のカフの圧力は若干の差があり、各々の腕に巻き付けられるカフの圧力によって、カフ内の空気量に差がある。従って、カフを予め設定して置いた圧力までポンピングするのに掛かる時間も、結果的に二つのカフ間に差が生じる。このために、個別に制御できる二つの収縮バルブによって、血圧測定の間に収縮率を調整して両腕の血圧測定が同時に完了されるので実質的に血圧が測定される時間が互いに異なる。
【０００９】
本発明は前記のような血圧装置の問題点を勘案して案出され、左側および右側腕の血圧測定のとき同じ位置から同じ圧力で同時に血圧が測定できるように左側および右側カフユニットが同じ構造になっている。即ち、左側および右側カフユニットのセルの大きさおよび構造が同じであるので内側空間の大きさが同じであり、左側および右側カフユニットのセルから互いに対応する部分は同じ高さを有するようになっている。また、左側および右側カフユニットのセル内に位置する膨張袋の大きさおよび容積が同じであるようになっている。
【００１０】
従って、本発明は被測定者が左側および右側腕の血圧測定の部位を同じ位置、同じ高さにし、同じ圧力で同時に血圧を測定できる。このような被測定者の左側および右側腕の血圧の測定値は測定が終わると同時に左右腕の血圧差が画面にディスプレイされる。
【発明の概要】
【発明が解決しようとする課題】
【００１１】
本発明で“同じ条件”というものは両腕の測定部位の高さが同じであり、測定部位に加えられる圧力が同じことを意味する。また、“同時”というものは一つのスタートスイッチを利用して時間的に両腕の血圧測定が同じ時間に行なわれることを意味する。
【００１２】
本発明の目的は被測定者の両腕を同じ条件の下で血圧を同時に測定できる自動血圧測定装置および血圧差表示装置を提供することである。
本発明の他の目的は被測定者の両腕を同じ条件の下で被測定者の両腕がカフに差し通された後いつも同じ姿勢の条件で腕を抜かずに安全に血圧を同時に測定できる自動血圧測定装置および血圧差表示装置を提供することである。
【００１３】
本発明のまた他の目的は老弱者も簡単に駆動できる両腕の血圧測定装置を提供することである。
本発明のまた他の目的は両腕の血圧を同時に測定できるとともに、左右の腕を任意に選択して、その血圧を簡単に測定できる自動血圧測定装置および血圧差表示装置を提供することである。
【課題を解決するための手段】
【００１４】
本発明の目的を達成するための両腕血圧測定装置は被測定者の腕を差し通すことができ、駆動のとき自動的に腕に巻き付けられる膨張袋を含む左側カフユニットおよび右側カフユニットと、前記左側カフユニットと右側カフユニットを制御する制御装置（ＣＰＵ）と、前記制御装置を駆動するためのスイッチ手段を備えている両腕血圧の同時自動測定による両腕血圧測定装置に於いて、前記スイッチ手段は、被測定者の両方の腕が前記左側カフユニットと右側カフユニットに拘束されている状態で、被測定者が前記制御装置を駆動することができるように本体から離間して構成され、前記左側および右側カフユニットは各々カフユニットの内側空間部に位置する被測定者の左側腕および右側腕の血圧測定部位が同じであるように対称をなす構造からなり、前記左側および右側カフユニットの内側空間部に位置する被測定者の左側腕および右側腕の血圧測定部位の血圧測定が同じ条件の下で行なわれるように前方開口部および後方開口部の形態および内側空間部の大きさが同じであり、前記各々のカフユニットの膨張袋の容積が同じであり、前記制御装置は前記左側および右側カフユニットの内側空間部に被測定者の左側腕および右側腕が位置すれば、同時に前記左側および右側のカフユニットを駆動して同時に血圧が測定される。
【００１５】
前記装置は左側カフユニットの膨張袋と前記右側カフユニットの膨張袋は被測定者の左側腕および右側腕の同じ位置の血圧測定部位を巻き付ける。
前記装置は前記左側カフユニットの膨張袋と前記右側カフユニットの膨張袋は面対称をなして両腕の動脈血管を巻き付ける。
【発明の効果】
【００１６】
本発明の装置は両腕の血圧を同時に自動的に測定することに於いて、左側腕および右側腕の血圧測定部位が同じであるように対称をなす構造からなり、左側および右側カフユニットの内側空間部に位置する被測定者の左側腕および右側腕の血圧測定部位の血圧測定が同じ条件の下で行なわれるように前方開口部および後方開口部の形態と内側空間部の大きさが同じであり、各々のカフユニットの膨張袋の容積が同じであるとともに、左側および右側カフユニットの内側空間部に被測定者の左側腕および右側腕が位置すれば、制御装置は左側および右側のカフユニットを同時に駆動して血圧が測定されるようにし、血圧の測定が終わると同時に両腕の血圧および血圧の差を表示する。
【図面の簡単な説明】
【００１７】
【図１】本発明の両腕血圧測定装置を示す斜視図である。
【図２】本発明の両腕血圧測定装置を示す平面図である。
【図３】図１の左側および右側カフユニットの一部切開斜視図である。
【図４】本発明の両腕血圧測定装置の回路構成を示すブロック図である。
【図５】本発明の両腕血圧測定装置の動作を説明するためのメインルーチンを示すフローチャートである。
【図６】図５に於いて両腕の血圧が測定される動作を説明するためのサブルーチンを示すフローチャートである。
【図７】図５に於いて左側腕の血圧が測定される動作を説明するためのサブルーチンを示すフローチャートである。
【図８】図５に於いて右側腕の血圧が測定される動作を説明するためのサブルーチンを示すフローチャートである。
【図９】本発明の両腕血圧測定装置に於いて非常スイッチの動作を説明するためのフローチャートである。
【図１０】本発明の両腕血圧測定装置の他の実施形態を示すブロック図である。
【図１１】スタートおよび非常スイッチを示す図面である。
【図１２】左側腕および右側腕の血圧の測定結果を画面にディスプレイした例を示す図面である。
【発明を実施するための形態】
【００１８】
以下に、本発明の両腕血圧測定装置について添付された図面を参照して詳しく説明する。
図１は本発明の両腕血圧測定装置を示す斜視図である。
図２は本発明の両腕血圧測定装置を示す平面図である。
図３は図１の左側および右側カフユニットの一部切開斜視図である。
【００１９】
図１乃至３を参照すると、本発明の両腕血圧測定装置はテーブル上に設置される本体１００と、本体１００の左側上部に位置する左側カフユニット１１０と本体１００の右側上部に位置する右側カフユニット２１０を具備する。
【００２０】
左側および右側カフユニット１１０、２１０は概ね円筒形のセル１１５、２１５と、セル１１５、２１５内に設置される膨張袋１１７、２１７を含む。各々のセル１１５、２１５内部は被測定者の左側腕と右側腕が差し通されることができるように前方開口部１１１、２１１から延びる空間部を備え、空間部の後は、後方開口部１１３、２１３を備える。
各々の膨張袋１１７、２１７は柔らかい外皮に囲まれて各々のセル１１５、２１５の内側の周縁部に設置され、各々のセル１１５、２１５の一側面は各々のセル１１５、２１５の空間部に位置する被測定者の左側上腕部および右側上腕部を巻き付ける面になる（図３参照）。
【００２１】
左側および右側カフユニット１１０、２１０は被測定者の左側腕および右側腕の血圧が同じ条件の下で測定できるように各々のセル１１５、２１５はその大きさおよび形態が同じ構造になっている。また、各々のセル１１５、２１５の内側周縁部に設置された膨張袋１１７、２１７はその形態および容積が同じであり、同じ量の空気が各々の膨張袋１１７、２１７に注入されたとき、各セル１１５、２１５内に差し通される被測定者の左側上腕部および右側上腕部を同じ圧力で巻き付けるように構成される。
【００２２】
また、図４に示したように膨張袋は互いに対称をなしている左側および右側腕の動脈部位を測定できるように左側膨張袋１１７と右側膨張袋２１７は互いに面対称をなしている。これは左側腕と右側腕の動脈が互いに面対称になっているためである。
【００２３】
従って、膨張袋１１７、２１７に同じ量の空気が注入されると、膨張袋１１７、２１７は被測定者の左側腕および右側腕の動脈を同じ圧力で巻き付けることができる。
【００２４】
左側および右側カフユニット１１０、２１０の間の本体１００上面にはディスプレイ装置１５０が設置されていて、その前にはプリンタ１６０が設置されている。また、本体１００の上面の前にはスタートスイッチ１７０が構成されている。スタートスイッチは図１１に示したように被測定者が手で握る形または足で押す形に構成して本体に接続して使用できる。本体の前面の左右両側には非常スイッチ１７２、１７４が構成されている。非常スイッチも図１１に示したように被測定者が手で握る形または足で押す形に構成できる。
【００２５】
各々のカフユニット１１０、２１０の後方開口部１１３、２１３の後にはカフユニット１１０、２１０の内側空間部に差し通される被測定者の肘を当てることができる肘受け台１２０、２２０が設置されている。肘受け台１２０、２２０からは被測定者の左側および右側の下腕部と腕首を支える腕台１４０、２４０が上方に斜めに構成される。また、腕台１４０、２４０の底には被測定者の腕を感知する腕感知センサー１３０、２３０が付着されている。
【００２６】
各々の腕台１４０、２４０の底に位置する腕感知センサー１３０、２３０は腕台１４０、２４０に当てられる被測定者の腕を感知してその信号を制御装置（ＣＰＵ）に送信する。
被測定者が下腕部と腕首を左側および右側カフユニット１１０、２１０の開口部１１１、２１１に挿入して内側の空間部に差し通されるようにし、肘を肘受け台１２０、２２０に位置させ、下腕部と腕首を腕台１４０、２４０に沿って斜めに位置させると、被測定者の左側および右側の上腕部の血圧測定部位は各々同じ高さになって左側および右側カフユニット内に位置する。
【００２７】
従って、左側および右側の膨張袋１１７、２１７に同じ量の空気が注入されると、左側および右側の膨張袋１１７、２１７は同じ圧力で同じ高さの左側および右側の上腕部の血圧測定部位を巻き付けることができる。
【００２８】
本体１００の内部には左側および右側の膨張袋に圧縮空気を供給するための空気ポンプ、測定回路および制御装置（ＣＰＵ）を含む電子回路装置が内装されている。制御装置の制御によって左側カフユニットおよび右側カフユニットの測定結果は表示装置１５０に表示され、またプリンタ１６０から測定結果を出力できる。
【００２９】
図４は本発明の両腕血圧測定装置の構成を示すブロック図である。
図４に示したように、左側カフユニット１１０を構成する左側膨張袋１１７にはエアポンプ３０３からエアが注入されるエア供給管３０９が連結され、左側膨張袋１１７の圧力を検出する左側圧力センサー３４１が付着されている。エアポンプ３０３から左側膨張袋１１７にエアを供給するエア供給管３０９には左側膨張袋の加圧バルブ３３３、左側膨張袋の排気バルブ３５３、そして急速排気バルブ３０６が付着されている。また、左側および右側膨張袋１１７、２１７にエアを供給するエア供給管３０９には急速排気バルブ３０６が付着されている。
【００３０】
右側カフユニット２１０を構成する右側膨張袋２１７にはエアポンプ３０３からエアが注入されるエア供給管３０９が連結され、右側膨張袋２１７の圧力を検出する右側圧力センサー４４１が付着されている。エアポンプ３０３から右側膨張袋２１７にエアを供給するエア供給管３０９には右側膨張袋の加圧バルブ４３３、右側膨張袋の排気バルブ４５３が付着されている。
【００３１】
左側膨張袋１１７の圧力は左側圧力センサー３４１により検出されて左側Ａ／Ｄコンバータ３４３を経て制御装置（ＣＰＵ）３００に送信され、右側膨張袋２１７の圧力は右側圧力センサー４４１により検出されて右側Ａ／Ｄコンバータ４４３を経て制御装置３００に送信される。
【００３２】
エアポンプ３０３は制御装置３００の制御によりエアポンプ駆動回路３０１の駆動信号によって駆動され、左側および右側膨張袋１１７、２１７に連結されるエア供給管３０９に付着された急速排気バルブ３０６は制御装置３００の制御により急速排気バルブ駆動回路３０５の駆動信号によって駆動される。
制御装置３００は左側および右側Ａ／Ｄコンバータ３４３、４４３から左側および右側膨張袋１１７、２１７の圧力信号を受信し、エアポンプ駆動回路３０１にエアポンプ３０３の駆動信号を送信する。
また、制御装置３００は左側および右側腕感知センサー１３０、２３０と、スタートスイッチ１７０、そして非常スイッチ１７２、１７４の信号を監視する。
【００３３】
図５は本発明の両腕血圧測定装置１００の動作を説明するためのメインルーチンを示すフローチャートである。
図６は両腕の血圧が測定される動作を説明するためのサブルーチンを示すフローチャートである。
図７は左側腕の血圧が測定される動作を説明するためのサブルーチンを示すフローチャートである。
図８は右側腕の血圧が測定される動作を説明するためのサブルーチンを示すフローチャートである。
【００３４】
先に、図５を参照して両腕血圧測定装置１００の動作を説明する。
被測定者が下腕部と腕首を左側および右側カフユニット１１０、２１０の開口部１１１、２１１に挿入して内側の空間部に差し通されるようにし、肘を肘受け台１２０、２２０に位置させ、下腕部と腕首を腕台１４０、２４０に沿って斜めに位置させると、被測定者の左側および右側の上腕部の血圧測定部位は各々同じ高さになって左側および右側カフユニット内に位置する。
【００３５】
続いて、制御装置３００が駆動されると、Ｓ５２段階に進行して被測定者の腕が感知されたかを判断する。被測定者の両腕、左側腕または右側腕の中でどれが感知されたかを左側および右側感知センサー１３０、２３０の感知信号によって判断される。
段階Ｓ５２から腕が感知されると、段階Ｓ５３に進められて、両腕の感知であるかを判断する。両腕が感知されると、段階Ｓ５６に進められて両腕の血圧測定モードに入り、両腕の感知でないと段階Ｓ５４またはＳ５５に進められる。
【００３６】
段階Ｓ５４から左側腕が感知されると、段階Ｓ５７に進められて左側腕の測定モードに入り、左側腕の感知でないと段階Ｓ５５に進められる。段階Ｓ５５から右側腕が感知されると、段階Ｓ５８に進められて右側腕の測定モードに入り、右側腕の感知でないと段階Ｓ５２に復帰して腕の感知信号を待機する。
【００３７】
段階Ｓ５６から左側および右側腕の血圧測定が終わると、段階Ｓ５９に進められて血圧の再測定であるか否かを判断し、再測定であれば段階Ｓ５２に復帰し、再測定でないと血圧測定を終了する。段階Ｓ５７から左側腕の血圧測定が終わると、段階Ｓ６０に進められて血圧の再測定であるか否かを判断し、再測定であれば段階Ｓ５２に復帰し、再測定でないと血圧測定を終了する。段階Ｓ５８から右側腕の血圧測定が終わると、段階Ｓ６１に進められて血圧の再測定であるか否かを判断し、再測定であれば段階Ｓ５２に復帰し、再測定でないと血圧測定を終了する。
【００３８】
続いて、血圧を測定する動作をサブルーチンを利用して説明する。
先ず、両腕が感知されたと仮定して説明する。
段階Ｓ５３から左側および右側の両腕が感知されると、図６のサブルーチンに進められる。制御装置３００は段階Ｓ５６１に進められて左側および右側膨張袋の加圧バルブ駆動回路３３１、４３１を制御して左側および右側の膨張袋の加圧バルブ３３３、４３３をＯＮさせる。そして、段階Ｓ５６２に進められてエアポンプ駆動回路３０１を制御してエアポンプ３０３を駆動させて左側および右側膨張袋１１７、２１７にエアを注入して加圧する。
【００３９】
左側および右側膨張袋１１７、２１７の圧力は加圧する過程で左側および右側圧力センサー３４１、４４１を通じて持続的に検出されて左側および右側Ａ／Ｄコンバータ３４３、４４３を経て制御装置３００に圧力信号が送信される。制御装置３００は段階Ｓ５６３に進められて基準圧力に到達したかを判断し、基準圧力に到達したら段階Ｓ５６４に進められて左側および右側膨張袋１１７、２１７の加圧を中止する。段階Ｓ５６４から左側および右側膨張袋１１７、２１７の圧力が基準圧力に到達しないと、段階Ｓ５６２に戻ってエアポンプ３０３を引き続き駆動させて左側および右側膨張袋１１７、２１７にエアを注入して加圧する。
【００４０】
段階Ｓ５６３から左側および右側膨張袋１１７、２１７の圧力が基準圧力に到達すると、制御装置３００は段階Ｓ５６４に進められて左側および右側膨張袋１１７、２１７の加圧を中止し、段階Ｓ５６５に進められて左側および右側膨張袋の排気バルブ駆動回路３５１、４５１を制御して左側および右側の膨張袋の排気バルブ３５３、４５３をＯＮさせる。そして、段階Ｓ５６６に進められて左側および右側膨張袋１１７、２１７のエアを排気させながら血圧を測定する。
【００４１】
制御装置３００は段階Ｓ５６７に進められて血圧測定の可否を判断するが、被測定者の血圧に比べて左側および右側膨張袋１１７、２１７の圧力が所定値以上にならないと、血圧を測定できない場合がある。段階Ｓ５６７から被測定者の左側腕または右側腕の中でいずれの一側でも血圧を測定することができないと段階Ｓ５６８に進められて左側および右側膨張袋１１７、２１７の基準圧力を修正する。そして、段階Ｓ５６２に戻って左側および右側膨張袋１１７、２１７にエアを注入して加圧する。
【００４２】
段階Ｓ５６７から血圧の測定が可能になって被測定者の左側および右側腕の血圧測定が終わるとメインルーチンに復帰する。
被測定者の左側および右側の両腕血圧は測定が終わると同時に左側および右側の両腕血圧とその差は装置のディスプレイ１５０に表示される。また、左側および右側の両腕血圧値とその差はプリンタ１６０により出力できる。
【００４３】
続いて、左側腕が感知されたと仮定して説明する。
段階Ｓ５４から左側腕が感知されると、図７のサブルーチンに進められる。制御装置３００は段階Ｓ５７１に進められて左側膨張袋の加圧バルブ駆動回路３３１を制御して左側膨張袋の加圧バルブ３３３をＯＮさせる。そして、段階Ｓ５７２に進められてエアポンプ駆動回路３０１を制御してエアポンプ３０３を駆動させて左側膨張袋１１７にエアを注入して加圧する。
【００４４】
左側膨張袋１１７の圧力は加圧する過程で左側膨張袋の圧力センサー３４１を通じて持続的に検出されて左側Ａ／Ｄコンバータ３４３を経て制御装置３００に圧力信号が送信される。制御装置３００は段階Ｓ５７３に進められて基準圧力に到達したかを判断し、基準圧力に到達したら段階Ｓ５７４に進められて左側膨張袋１１７の加圧を中止する。段階Ｓ５７４から左側膨張袋１１７の圧力が基準圧力に到達しないと、段階Ｓ５７２に戻ってエアポンプ３０３を引き続き駆動させて左側膨張袋１１７にエアを注入して加圧する。
【００４５】
段階Ｓ５７３から左側膨張袋１１７の圧力が基準圧力に到達すると、制御装置３００は段階Ｓ５７４に進められて左側膨張袋１１７の加圧を中止し、段階Ｓ５７５に進められて左側膨張袋の排気バルブ駆動回路３５１を制御して左側膨張袋の排気バルブ３５３をＯＮさせる。そして、段階Ｓ５７６に進められて左側膨張袋１１７のエアを排気させながら血圧を測定する。
【００４６】
制御装置３００は段階Ｓ５７７に進められて血圧測定の可否を判断するが、被測定者の血圧に比べて左側膨張袋１１７の圧力が所定値以上にならないと、血圧を測定できない場合がある。段階Ｓ５７７から被測定者の左側腕の血圧を測定することができないと段階Ｓ５７８に進められて左側膨張袋１１７の基準圧力を修正する。そして、段階Ｓ５７２に戻って左側膨張袋１１７、２１７にエアを注入して加圧する。
段階Ｓ５７７から血圧の測定が可能になって被測定者の左側腕の血圧測定が終わるとメインルーチンに復帰する。
被測定者の左側腕の血圧は測定が終わると同時にディスプレイ１５０に表示される。また、左側腕の血圧値をプリンタ１６０により出力できる。
【００４７】
続いて、右側腕が感知されたと仮定して説明する。段階Ｓ５５から右側腕が感知されると、図８のサブルーチンに進められる。制御装置３００は段階Ｓ５８１に進められて右側膨張袋の加圧バルブ駆動回路４３１を制御して右側の膨張袋の加圧バルブ４３３をＯＮさせる。そして、段階Ｓ５８２に進められてエアポンプ駆動回路３０１を制御してエアポンプ３０３を駆動させて右側膨張袋２１７にエアを注入して加圧する。
【００４８】
右側膨張袋２１７の圧力は加圧する過程で右側膨張袋の圧力センサー４４１を通じて持続的に検出されて右側Ａ／Ｄコンバータ４４３を経て制御装置３００に加圧信号が送信される。制御装置３００は段階Ｓ５８３に進められて基準圧力に到達したかを判断し、基準圧力に到達したら段階Ｓ５８４に進められて右側膨張袋２１７の加圧を中止する。段階Ｓ５８４から右側膨張袋２１７の圧力が基準圧力に到達しないと、段階Ｓ５８２に戻ってエアポンプ３０３を引き続き駆動させて右側膨張袋２１７にエアを注入して加圧する。
【００４９】
段階Ｓ５８３から右側膨張袋２１７の圧力が基準圧力に到達すると、制御装置３００は段階Ｓ５８４に進められて右側膨張袋２１７の加圧を中止し、段階Ｓ５８５に進められて右側膨張袋の排気バルブ駆動回路４５１を制御して右側膨張袋の排気バルブ４５３をＯＮさせる。そして、段階Ｓ５８６に進められて右側膨張袋２１７のエアを排気させながら血圧を測定する。
【００５０】
制御装置３００は段階Ｓ５８７に進められて血圧測定の可否を判断するが、被測定者の血圧に比べて右側膨張袋２１７の圧力が所定値以上にならないと、血圧を測定できない場合がある。段階Ｓ５８７から被測定者の右側腕の血圧を測定することができないと段階Ｓ５８８に進められて右側膨張袋２１７の基準圧力を修正する。そして、段階Ｓ５８２に戻って右側膨張袋２１７にエアを注入して加圧する。
段階Ｓ５８７から血圧測定が可能になって被測定者の右側腕の血圧測定が終わるとメインルーチンに復帰する。
被測定者の右側腕血圧は測定が終わると同時にディスプレイ１５０に表示される。また、右側腕の血圧値をプリンタ１６０により出力できる。
【００５１】
前記のように本発明の装置は、左側および右側の両腕血圧を測定することに於いて、両腕血圧を測定する時間、両腕の位置および圧力が同じ条件で行なわれる。仮に、左側腕の血圧があまり高かったり、測定することができない場合、左側腕だけではなく右側腕も同じ圧力で再び加圧することによって両腕の血圧を同じ圧力、同じ条件で測定できる。
従って、被測定者の左側および右側腕の血圧が同じ条件の下で測定可能になり、その測定値および左右の測定差に基づいて血流や血圧の状態を正確に判断できる。
一方、本発明の装置は血圧を測定する間に非常スイッチを押すことによって血圧測定を中止することができる。
【００５２】
図９は本発明の両腕血圧測定装置に於いて、非常スイッチの動作を説明するためのフローチャートである。
両腕血圧測定装置は段階Ｓ７１に進められて動作中には非常スイッチがＯＮになるかを常時監視する。非常スイッチがＯＮになると段階Ｓ７３に進められて駆動中であるエアポンプを停止させて膨張袋に加圧を中止する。そして、段階Ｓ７４に進められて急速排気バルブ駆動回路３０５を制御して急速排気バルブ３０６を開けて膨張袋からエアを排気する。
このような非常スイッチは左側および右側の両腕血圧を測定する過程で特に有用である。非常スイッチは図１１に示したように、足で動作させるフットスイッチ１８２にしても良く、バー形にして手で握ることができるバースイッチ１８４に構成しても良い。
【００５３】
図１０は本発明の両腕血圧測定装置の他の実施形態を示すブロック図である。図１０と図４の構造を比べると、エアポンプが左側膨張袋１１７にエアを注入して加圧する左側エアポンプ３１３と、右側膨張袋２１７にエアを注入して加圧する右側エアポンプ４１３とに分離されている。
従って、左側カフユニット１１０を構成する膨張袋１１７は左側エアポンプ３１３から左側エア供給管３０９が連結され、左側エア供給管３０９には左側膨張袋の加圧バルブ３３３、左側膨張袋の排気バルブ３５３、そして急速排気バルブ３６３が構成されている。
【００５４】
左側エアポンプ３１３は左側エアポンプ駆動回路３１１の駆動信号によって駆動され、左側膨張袋の排気バルブ３５３は左側膨張袋の排気バルブ駆動回路３５１の駆動信号によって駆動される。また、左側エア供給管３０９に構成された左側急速排気バルブ３６３は左側急速排気バルブ駆動回路３６１の駆動信号によって駆動される。
右側カフユニット２１０を構成する膨張袋２１７は右側エアポンプ４１３から右側エア供給管４０９が連結され、右側エア供給管４０９には右側膨張袋の加圧バルブ４３３、右側膨張袋の排気バルブ４５３、そして急速排気バルブ４６３が構成されている。
【００５５】
右側エアポンプ４１３は右側エアポンプ駆動回路４１１の駆動信号によって駆動され、右側膨張袋の排気バルブ４５３は右側膨張袋の排気バルブ駆動回路４５１の駆動信号によって駆動される。また、右側エア供給管４０９に構成された右側急速排気バルブ４６３は右側急速排気バルブ駆動回路４６１の駆動信号によって駆動される。
【００５６】
図１０の装置も図５乃至図９のフローチャートによって動作できる。
以上のように、本発明は安全且つ安定的な姿勢で両腕血圧を同じ条件の下で同時に測定できる。
【００５７】
図１２は左側腕および右側腕の血圧の測定結果を画面にディスプレイした例を示す図面である。
図１２を参照すると、画面の左側には左側腕の最高血圧および最低血圧、そして、その平均値および脈拍数が表示され、画面の右側には右側腕の最高血圧および最低血圧、その平均値および脈拍数が表示され、その下に左側腕および右側腕の最高血圧の差および最低血圧の差が表示される。
【産業上の利用可能性】
【００５８】
本発明は被測定者の両腕がカフに差し通された後、いつも同じ条件の下で安全に血圧を同時に測定できる自動血圧測定装置および血圧差表示装置を提供できる。
【図１】
0005815738.tif 000002
【図２】
0005815738.tif 000003
【図３】
0005815738.tif 000004
【図４】
0005815738.tif 000005
【図５】
0005815738.tif 000006
【図６】
0005815738.tif 000007
【図７】
0005815738.tif 000008
【図８】
0005815738.tif 000009
【図９】
0005815738.tif 000010
【図１０】
0005815738.tif 000011
【図１１】
0005815738.tif 000012
【図１２】
0005815738.tif 000013